(57)【要約】【課題】ズーム動作およびフォーカシング動作の両方において移動するレンズを有するレンズ鏡筒。【解決手段】基準部材に対して支持された軸状の案内軸と、光学系を保持するとともに、基準部材に対して案内軸の軸方向に移動可能に設けられた保持部材と、保持部材に係合する係合部を有するとともに、光学系の光軸周りに回転しながら案内軸の方向に移動することにより、保持部材を回転することなく案内軸に沿って移動する連動部材とを備える。【選択図】図１
2010156767.tif 000002
【特許請求の範囲】
【請求項１】
基準部材に対して支持された軸状の案内軸と、
光学系を保持するとともに、前記基準部材に対して前記案内軸の軸方向に移動可能に設けられた保持部材と、
前記保持部材に係合する係合部を有するとともに、前記光学系の光軸周りに回転しながら前記案内軸の方向に移動することにより、前記保持部材を回転することなく前記案内軸に沿って移動する連動部材と
を備えることを特徴とするレンズ鏡筒。
【請求項２】
請求項１に記載のレンズ鏡筒であって、
前記連動部材に係合するカム溝を有するとともに、前記光軸周りに回転することにより前記連動部材を前記カム溝に沿って前記案内軸の方向へ直進移動させる駆動筒を有することを特徴とするレンズ鏡筒。
【請求項３】
請求項１または請求項２に記載のレンズ鏡筒において、
前記連動部材は、前記係合部として、前記光学系の光軸を中心とする周方向に沿って設けられた溝を有し、
前記保持部材は、前記連動部材が有する溝に係合する突起部を有することを特徴とするレンズ鏡筒。
【請求項４】
請求項３に記載のレンズ鏡筒において、
前記係合部は、前記案内軸の延長線上の位置で係合することを特徴とするレンズ鏡筒。
【請求項５】
請求項１または請求項２に記載のレンズ鏡筒において、
前記保持部材は、前記光学系の光軸を中心とする周方向に沿って設けられた溝を有し、
前記連動部材は、前記係合部として、前記保持部材が有する溝に係合する突起部を有することを特徴とするレンズ鏡筒。
【請求項６】
請求項３から請求項５までのいずれかに記載のレンズ鏡筒において、
前記基準部材に対して回転可能に設けられるとともに、前記回転により前記連動部材を回転する操作部材を有し、
前記溝は、前記操作部材の回転角に対応した長さを有することを特徴とするレンズ鏡筒。
【請求項７】
請求項３から請求項６までのいずれかに記載のレンズ鏡筒において、
前記溝は、前記光軸に直交する面に対して傾斜したカム部を備え、
前記係合部が前記カム部に沿って相対的に移動することにより、前記連動部材が回転した際に前記保持部材を前記案内軸の方向に移動することを特徴とするレンズ鏡筒。
【請求項８】
請求項１から請求項７までのいずれかに記載のレンズ鏡筒と、
前記光学系による像を撮像する撮像部とを備えたことを特徴とする撮像装置。
【発明の詳細な説明】
【技術分野】
【０００１】
本発明は、レンズ鏡筒および撮像装置に関する。
【背景技術】
【０００２】
下記特許文献１には、ズーミング操作により光軸方向に移動するとともに、フォーカシング操作によっても光軸方向に移動する構成のズームレンズが開示されている。
【特許文献１】特開平５−１４２４７５号公報
【発明の開示】
【発明が解決しようとする課題】
【０００３】
従来のズームレンズでは、光学系を保持する保持枠を案内軸に係合して移動するように形成した場合には、フォーカシング操作によって光学系の保持枠を回転させることはできず、機構上の制約があった。
【課題を解決するための手段】
【０００４】
そこで、上記課題を解決すべく、本発明の第１の態様として、基準部材（１１０）に対して支持された軸状の案内軸（１９２）と、光学系（Ｌ２）を保持するとともに、基準部材に対して案内軸の軸方向に移動可能に設けられた保持部材（１８０）と、保持部材に係合する係合部（１７４）を有するとともに、光学系の光軸周りに回転しながら案内軸の方向に移動することにより、保持部材を回転することなく案内軸に沿って移動する連動部材（１７０）とを備えることを特徴とするレンズ鏡筒（１００）が提供される。
【０００５】
また、本発明の第２の態様として、上記レンズ鏡筒（１００）と、当該レンズ鏡筒を用いて結像される像を撮影する撮像部（２００）とを有することを特徴とする撮像装置（３００）が提供される。
【０００６】
更に、上記特徴群のサブコンビネーションもまた発明となり得る。
【発明を実施するための最良の形態】
【０００７】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。
【０００８】
図１は、レンズ鏡筒１００全体の断面図であり、レンズ鏡筒１００が広角端にある状態を示す。レンズ鏡筒１００は、互いに共通の光軸Ｘ上に配列された５群のレンズＬ１、Ｌ２、Ｌ３、Ｌ４、Ｌ５を備える。
【０００９】
レンズ鏡筒１００のズーム動作において、レンズＬ１、Ｌ２、Ｌ３、Ｌ４、Ｌ５は相対的に移動する。ただし、一対のレンズＬ３およびレンズＬ５は互いに連結されて、一定の間隔を保って一体的に移動する。一方、レンズ鏡筒１００の合焦動作においては、特定のレンズＬ２が移動し、他のレンズＬ１、Ｌ３、Ｌ４、Ｌ５は移動しない。即ち、レンズＬ２は、ズーム動作においても合焦動作においても移動する。
【００１０】
ただし、レンズＬ２は、ズーム動作においては他のレンズＬ１、Ｌ３、Ｌ４、Ｌ５と関連して比較的大きく移動するが、合焦動作においては、移動量が小さい。以下、レンズＬ１、Ｌ２のズーム動作を担う構造と、レンズＬ２の合焦動作を担う構造について説明する。他のレンズＬ３、Ｌ４、Ｌ５の支持構造および駆動構造については説明を割愛する。
【００１１】
レンズ鏡筒１００は、固定筒１１０の内側に配された一対のガイドバー１９２、１９４と、保持筒１８０とを備える。レンズＬ２は、保持筒１８０の先端（図中の左側）に形成されたレンズ枠１８９に保持される。
【００１２】
一対のガイドバー１９２、１９４は互いに光軸を挟んで対向して配される。一方のガイドバー１９２は、固定筒１１０の内面上側に配された一対の支持部１１８に支持される。
【００１３】
保持筒１８０は、ガイドバー１９２の延在方向に間隔をおいて配された前側嵌合部１８１および後側嵌合部１８３を有する。前側嵌合部１８１および後側嵌合部１８３はそれぞれ、ガイドバー１９２の外周面と相補的な形状の嵌合孔をそれぞれが有する。例えば、ガイドバー１９２の断面が円形の場合に、嵌合孔は丸穴である。この嵌合孔にガイドバー１９２が挿通される。これにより、保持筒１８０はガイドバー１９２から懸架される。互いに離れた前側嵌合部１８１および後側嵌合部１８３によりガイドバー１９２に係合するので、ガイドバー１９２に対してレンズＬ１の光軸が傾くのを防ぐ。
【００１４】
他方のガイドバー１９４は、固定筒１１０の内面下側に配された一対の支持部１１９により、ガイドバー１９２と平行に支持される。保持筒１８０は、ガイドバー１９２の延在方向における前側嵌合部１８１および後側嵌合部１８３の中間において光軸を挟んだ反対側に配された係合部１８５を有する。
【００１５】
係合部１８５は、ガイドバー１９４を挟む一対の平行面によりガイドバー１９４と係合する。一対の平行面は、長穴またはＵ字溝により形成される。これにより、保持筒１８０がガイドバー１９４に沿って移動する摺動抵抗を下げつつ、保持筒１８０がガイドバー１９２を軸にして回転することを防ぐ。
【００１６】
固定筒１１０の内側には、固定筒１１０と同軸状に、固定筒１１０内面およびガイドバー１９２、１９４の間に配されたカム筒１６０を有する。カム筒１６０については後述する。
【００１７】
固定筒１１０の後側（図中の右側）外周には、モータ室１１５をなす空洞が形成される。モータ室１１５には、図示していないモータが収容される。また、モータ室１１５の外周には、ピントリング１２０が回転自在に装着される。
【００１８】
モータ室１１５の内部には、伝達部材１２２の一端が現れており、ピントリング１２０またはモータのいずれかが選択的に伝達部材１２２を駆動する。駆動された伝達部材１２２は、固定筒１１０の外周に沿って、光軸Ｘの回りに回転する。
【００１９】
固定筒１１０の前端側には、内筒１４４、中筒１４０および外筒１５０が同軸状に内側からこの順に配される。外筒１５０の更に外側には、ズームリング１３０が回転自在に装着される。外筒１５０の前端にはレンズ枠１５９が形成され、レンズＬ１が保持される。外筒１５０の後端付近にはカムフォロワ１５２が形成され、内筒１４４に係合する。
【００２０】
ズームリング１３０の内側には案内溝１３２が形成される。この案内溝１３２には中筒１４０のカムフォロワ１４２が係合する。これにより、ズームリング１３０が回転した場合、カムフォロワ１４２には回転駆動力が伝達される。
【００２１】
中筒１４０は、上記カムフォロワ１４２、および、カム溝１４６を有する。さらに中筒１４０は、内筒１４４に係合する係合部１４８を有する。内筒１４４は、カム溝１４６に対応したカム溝１４５を有する。さらに内筒１４４は、カムピン１４９を有する。
【００２２】
固定筒１１０の案内部１１４に内筒１４４の後端が案内されて、内筒１４４が進退する。一方、これにより、中筒１４０のカムフォロワ１４２が回転駆動力を受けた場合に、中筒１４０および内筒１４４が協働してカムフォロワ１５２に直進する駆動を伝達する。
【００２３】
カム筒１６０は、カム溝１６１、１６６を有する。さらに、カム筒１６０はカムフォロワ１６２を有する。カム溝１６６には、内筒１４４のカムピン１４９が係合する。カムフォロワ１６２は、中筒１４０のカム溝１４６および内筒１４４のカム溝１４５に係合する。
【００２４】
さらに、レンズ鏡筒１００は、固定筒１１０の前端に、固定筒１１０の内外にわたって配された連動筒１７０を備える。連動筒１７０は、内筒１４４の内側に沿って光軸Ｘの回りを回転自在に配される。連動筒１７０の外周面には、光軸Ｘ方向に延在する直溝１７６が形成される。直溝１７６は、伝達部材１２２の先端部１２４に係合する。
【００２５】
連動筒１７０は、内周面前側に形成された周溝１７４を有する。周溝１７４は、周方向に連続して形成され、保持筒１８０から径方向に突出する係合ピン１８７と係合する。連動筒１７０は、カム筒１６０のカム溝１６１に係合するカムフォロワ１７２を有する。
【００２６】
なお、固定筒１１０は、図上で右端になる後端に形成された基部１１２により、後述する撮像部２００に結合される。撮像部２００に結合された場合、固定筒１１０の後端面のマウント面１１３が撮像部２００の前面に密接することにより、レンズ鏡筒１００全体が位置決めされる。
【００２７】
以上のような構造を有するレンズ鏡筒１００においてピントリング１２０が回された場合、または、モータにより伝達部材１２２が駆動された場合、伝達部材１２２は、固定筒１１０の外周面に沿って、光軸Ｘの周りに回転する。伝達部材１２２の回転駆動力は、直溝１７６の側壁を介して連動筒１７０に伝達される。
【００２８】
連動筒１７０の周方向の回転に伴って、当該連動筒１７０に設けられたカムフォロワ１７２が周方向に回転する。このときカムフォロワ１７２は、カム溝１６１に係合しているのでカム溝１６１に沿って光軸Ｘ方向に移動し、連動筒１７０を光軸Ｘ方向に変位させる。連動筒１７０の光軸Ｘ方向の移動は、周溝１７４の後端面と係合ピン１８７との当接により保持筒１８０に伝達される。
【００２９】
保持筒１８０は、ガイドバー１９２、１９４により周方向の変位を拘束されて回転しない。また、周溝１７４は周方向に連続して形成されるので、連動筒１７０の光軸Ｘ周りの回転は、周溝１７４の後端面が係合ピン１８７に対して周方向に摺動することにより、保持筒１８０に伝達されない。これにより、レンズＬ２は周方向に回転することなく光軸Ｘ方向に移動して、レンズ鏡筒１００の光学系を合焦させる。また、これら一連の合焦動作は、他のレンズＬ１、Ｌ３、Ｌ４、Ｌ５を一切移動させることなく完了する。
【００３０】
図２は、レンズ鏡筒１００の縦断面図であって、レンズ鏡筒１００が望遠端までズームされた状態を示す。なお、図1と共通の要素には同じ参照番号を付して重複する説明を省く。
【００３１】
ズームリング１３０が外部から操作されて光軸Ｘの回りに回転した場合に、ズームリング１３０の案内溝１３２に中筒１４０のカムフォロワ１４２が係合しているので、中筒１４０に回転駆動力が伝達される。内筒１４４は、その後端を固定筒１１０の案内部１１４に案内されて光軸方向に移動する。
【００３２】
内筒１４４の光軸方向の移動に伴って内筒１４４と係合部１４８で係合している中筒１４０も移動し、それにより、中筒１４０に係合する外筒１５０のカムフォロワ１５２を前進させる。よって、外筒１５０が前方（図中の左側）に送り出され、外筒１５０に保持されたレンズＬ１も前方に繰り出される。
【００３３】
中筒１４０は、カムフォロワ１６２を介してカム筒１６０を光軸Ｘの回りに回転させる。また、カムピン１４９とカム溝１６６との係合により、カム筒１６０は光軸Ｘ方向に移動する。一方、連動筒１７０の直溝１７６に伝達部材１２２の先端１２４が入り込んでいるので、連動筒１７０は回転することなく移動する。従って、カム筒１６０のカム溝１６１にカムフォロワ１７２が係合した連動筒１７０は、カム筒１６０の回転および移動に伴って、光軸Ｘ方向に移動する。
【００３４】
連動筒１７０の周溝１７４が保持筒１８０の係合ピン１８７と係合しているので、連動筒１７０が光軸Ｘ方向に移動した場合は、直進する駆動力が伝達されて保持筒１８０が連動筒１７０と一体的に移動する。
【００３５】
なお、本実施例においては、連動筒１７０に周溝１７４を、保持筒１８０に係合ピン１８７をそれぞれ設けた。しかしながら、連動筒１７０および保持筒１８０の係合構造がこれに限られるわけではなく、保持筒１８０側に周溝１７４を、連動筒１７０側に係合ピン１８７をそれぞれ設けて係合させてもよい。
【００３６】
また、周溝１７４は、完全な円周を描いていなくてもよい。即ち、ピントリング１２０および連動筒１７０の回転角度よりも大きい円弧を描いていれば足りる。これにより、連動筒１７０等の加工量を減らして、レンズ鏡筒１００の製造コストを低減できる。
【００３７】
更に、連動筒１７０の周溝１７４は、光軸Ｘに直交する面に対して交差するカム溝として形成してもよい。これにより、連動筒１７０が保持筒１８０に対して回転した場合に、保持筒１８０を光軸Ｘ方向に個別に駆動できる。従って、フォーカシング時にズーミング用のカム上を移動することによる焦点調節誤差を補正することができる。
【００３８】
連動筒１７０のカムフォロワ１７２がカム筒１６０のカム溝１６１に係合しているので、カム筒１６０が光軸Ｘ方向に移動した場合、および、カム筒１６０の回転によりカム溝１６１がカムフォロワ１７２を駆動した場合、のいずれも、保持筒１８０に光軸Ｘと平行な駆動力が伝達される。この場合に、保持筒１８０は、ガイドバー１９２に嵌合すると共にガイドバー１９４に係合しているので、光軸Ｘと平行な方向にレンズＬ２を傾けることなく移動することができる。
【００３９】
なお、図示は省いたが、カム筒１６０に設けた他のカム溝１６４により、他のレンズＬ３、Ｌ４、Ｌ５を移動させてもよい。また、他のレンズＬ３、Ｌ４、Ｌ５と、ガイドバー１９２、１９４を共用することもできる。更に、他のレンズＬ３、Ｌ４、Ｌ５を案内する目的で他の案内部材および駆動部材を設けることもできる。これにより、レンズＬ１、Ｌ２、Ｌ３、Ｌ４、Ｌ５の全てが移動して、レンズ鏡筒１００の光学系の焦点距離が変化する。
【００４０】
なお、外筒１５０およびズームリング１３０の間には、固定筒１１０に対して同軸に装着されたカバー筒１５５が配される。カバー筒１５５は、外筒１５０に連れ従って進退し、外筒１５０およびズームリング１３０の間を封止する。これにより、レンズ鏡筒１００の内部に塵芥が浸入することが防止される。
【００４１】
また、固定筒１１０は、図上で右端になる後端に形成された基部１１２により、後述する撮像部２００に結合される。撮像部２００に結合された場合、固定筒１１０の後端面のマウント面１１３が撮像部２００の前面に密接することにより、レンズ鏡筒１００全体が位置決めされる。
【００４２】
以上、図１および図２に示す実施形態によれば、レンズ鏡筒１００は、レンズＬ２を保持する保持筒１８０に対して、レンズＬ２の光軸Ｘ周りに回転自在に係合する連動筒１７０を備える。連動筒１７０は、ズーム動作において、ズームリング１３０からカム筒１６０を介して伝達された回転駆動力により、レンズＬ２を光軸Ｘの方向に移動させる。また、連動筒１７０は、合焦動作において、ピントリング１２０またはモータから伝達部材１２２を介して伝達された回転力により、レンズＬ２を光軸Ｘ方向に移動させる。
【００４３】
保持筒１８０は、ガイドバー１９２、１９４に案内されて、光軸Ｘ方向に限って移動する。これにより、機械的な誤差の原因となり得る部品の点数を低減しつつ、ズーム動作と合焦動作とをさせることができる。
【００４４】
なお、駆動力を効率よく伝えて保持筒１８０の操作力を軽減するという観点から、連動筒１７０を駆動するカムフォロワ１７２は、ガイドバー１９２の延長線上か、その近傍かに配置することが好ましい。これにより、駆動力をかける位置と、それに対する負荷抵抗となるガイドバー１９２の位置とを接近させ、レンズＬ２に傾き等が生じることを効果的に防止できる。
【００４５】
図３および図４は、他の構造を有するレンズ鏡筒１０１の構造を示す断面図である。図３は、レンズ鏡筒１０１が広角端にある状態を示す。また、図４は、ズーム動作によりレンズ鏡筒１０１が望遠端に変化した状態を示す。
【００４６】
更にレンズ鏡筒１０１は、以下に説明する部分を除くと、図１および図２に示したレンズ鏡筒１００と共通の構造を有する。そこで、共通の要素には同じ参照番号を付して重複する説明を省く。
【００４７】
レンズ鏡筒１０１は、ガイドバー１９２、１９４が保持筒１８０に結合され、保持筒１８０と共に、光軸Ｘと平行な方向に移動する点に特徴のひとつがある。即ち、ガイドバー１９２、１９４は、その前端（図中の左側）を保持筒１８０に結合される。
【００４８】
一方のガイドバー１９２は、固定筒１１０の内面に形成された前側嵌合部１１６および後側嵌合部１１７に支持される。ここで、前側嵌合部１１６および後側嵌合部１１７は、ガイドバー１９２の周面に相補的な形状の挿通孔を有し、ここにガイドバー１９２を挿通される。これにより、固定筒１１０は、ガイドバー１９２を介して、光軸Ｘと平行な方向に移動自在に保持筒１８０懸架する。
【００４９】
他方のガイドバー１９４は、固定筒の内面下部に配された係合部１１１により支持される。係合部１１１は、ガイドバー１９４を挟む一対の平行面によりガイドバー１９４と係合する。
【００５０】
このようなレンズ鏡筒１０１は、レンズ鏡筒１００に比較すると、保持筒１８０を短く形成できる。さらに、保持筒１８０の後端部分、特にガイドバー１９２、１９４を保持する部分がなくなるので、固定筒１１０の内部空間に空きができる。これにより、レンズ鏡筒１０１を細くするか、レンズ鏡筒１０１の内部により多くの部材を使用することができる。
【００５１】
図５は、レンズ鏡筒１００を備えた撮像装置３００の構造を模式的に示す図である。なお、図５においては、図面が煩雑になることを避ける目的で、レンズ鏡筒１００を模式的に記載した。ただし、図５におけるレンズ鏡筒１００は、図１に示したレンズ鏡筒１００と同じ構造を有する。そこで、同じ構成要素には同じ参照番号を付して重複する説明を省いた。
【００５２】
レンズ鏡筒１００は、マウント部２６０を介して、撮像部２００に対して着脱自在に装着される。なお、撮像装置３００において、レンズ鏡筒１００および撮像部２００は、図示していない接続端子を介して電気的にも結合される。これにより、レンズ鏡筒１００は、撮像部２００から電力を供給される。
【００５３】
撮像部２００は、主鏡２４０、ペンタプリズム２７０、接眼光学系２９０を含む光学系と、主制御部２５０とを収容する。主鏡２４０は、レンズ鏡筒１００の光学系を介して入射した入射光の光路上に傾斜して配置される待機位置と、入射光を避けて上昇する撮影位置（図中に点線で示す）との間を移動する。
【００５４】
待機位置にある主鏡２４０は、入射光の大半を、上方に配置されたフォーカシングスクリーン２７２に導く。フォーカシングスクリーン２７２は、レンズ鏡筒１００の光学系の合焦位置に配置され、光学系により形成された画像を結像させる。
【００５５】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００５６】
ペンタプリズム２７０および接眼光学系２９０の間にはハーフミラー２９２が配置される。ハーフミラー２９２は、ファインダＬＣＤ２９４に形成された表示画像を、フォーカシングスクリーン２７２の映像に重畳させる。これにより、接眼光学系２９０の出射端において、フォーカシングスクリーン２７２の映像と、ファインダＬＣＤ２９４の映像とを併せて見ることができる。なお、ファインダＬＣＤ２９４には、撮像装置３００の撮影条件、設定条件等の情報が表示される。
【００５７】
また、ペンタプリズム２７０の出射光の一部は、測光部２８０に導かれる。測光部２８０は、入射光の強度およびその分布等を測定して、撮影条件を決定する場合に測定結果を参照させる。
【００５８】
一方、入射光の入射面に対する主鏡２４０の裏面には、副鏡２４２が配置される。副鏡２４２は、主鏡２４０を透過した入射光の一部を、下方に配置された焦点検出装置２３０に導く。これにより、主鏡２４０が待機位置にある場合は、焦点検出装置２３０が光学系の焦点調整状態を検出する。なお、主鏡２４０が撮影位置に移動した場合は、副鏡２４２も入射光の光路から退避する。
【００５９】
レンズ鏡筒１００からの入射光に対して主鏡２４０の後方には、シャッタ２２０、光学フィルタ２１２および撮像素子２１０が光軸に沿って配置される。シャッタ２２０が開放される場合は、その直前に主鏡２４０が撮影位置に移動するので、入射光は直進して撮像素子２１０に入射される。これにより、入射光の形成する画像が、撮像素子２１０において電気信号に変換される。
【００６０】
また、撮像部２００は、レンズ鏡筒１００に対して背面において、外部に面したメインＬＣＤ２９６を備える。メインＬＣＤ２９６は、撮像部２００に対する各種の設定情報を表示する他、主鏡２４０が撮影位置に移動している場合に撮像素子２１０に形成された画像を表示することもできる。
【００６１】
主制御部２５０は、上記のような種々の動作を総合的に制御する。また、撮像部２００側の焦点検出装置２３０が検出した被写体までの距離の情報を参照して、レンズ鏡筒１００を駆動するオートフォーカス機構を形成できる。更に、焦点検出装置２３０がレンズ鏡筒１００の動作量を参照して、フォーカスエイド機構を形成することもできる。
【００６２】
更に、主制御部２５０は、レンズ鏡筒１００のマイコンと情報を交換して、絞り装置２２２の開閉等も制御する。更に、主制御部２５０は、露出の自動化、シーンモードの実行、ブラケット撮影の実行等にも寄与する。
【００６３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【００６４】
特許請求の範囲、明細書、および図面中において示した装置、システム、プログラム、および方法における動作、手順、ステップ、および段階等の各処理の実行順序は、特段「より前に」、「先立って」等と明示していない限り、また、前の処理の出力を後の処理で用いない限り、任意の順序で実現し得ることに留意すべきである。特許請求の範囲、明細書、および図面の動作フローに関して、便宜上「まず、」、「次に、」等を用いて説明したとしても、この順で実施することが必須であることを意味するものではない。
【図面の簡単な説明】
【００６５】
【図１】レンズ鏡筒１００が広角端にある場合の断面図である。
【図２】レンズ鏡筒１００が望遠端にある場合の断面図である。
【図３】レンズ鏡筒１０１が広角端にある場合の断面図である。
【図４】レンズ鏡筒１０１が望遠端にある場合の断面図である。
【図５】撮像装置３００の構造を模式的に示す図である。
【符号の説明】
【００６６】
１００、１０１  レンズ鏡筒、１１０  固定筒、１１１  係合部、１８５  係合部、１１２  基部、１１３  マウント面、１１４  案内部、１１５  モータ室、１１６、１８１  前側嵌合部、１１７  後側嵌合部、１８３  後側嵌合部、１１８  支持部、１１９  支持部、１２０  ピントリング、１２２  伝達部材、１２４  先端部、１３０  ズームリング、１３２  案内溝、１４０  中筒、１４２  カムフォロワ、１４５、１４６、１６１、１６４、１６６  カム溝、１５２  カムフォロワ、１６２  カムフォロワ、１７２  カムフォロワ、１４４  内筒、１７６  直溝、１４８  係合部、１４９  カムピン、１５０  外筒、１５５  カバー筒、１５９  レンズ枠、１８９  レンズ枠、１６０  カム筒、１７４  周溝、１７０  連動筒、１８０  保持筒、１８７  係合ピン、１９２、１９４  ガイドバー、２００  撮像部、２１０  撮像素子、２１２  光学フィルタ、２２０  シャッタ、２２２  絞り装置、２３０  焦点検出装置、２４０  主鏡、２４２  副鏡、２５０  主制御部、２６０  マウント部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  撮像装置
【図１】
2010156767.tif 000003
【図２】
2010156767.tif 000004
【図３】
2010156767.tif 000005
【図４】
2010156767.tif 000006
【図５】
2010156767.tif 000007